(57)【特許請求の範囲】
【請求項１】
在床した就寝者により生じる振動を検知可能に設置された振動検知部と、
前記振動検知部からの出力信号を取得するセンサ出力取得部と、
前記センサ出力取得部からの出力信号である振動データに基づいて、前記就寝者の心臓の拍動と呼吸との少なくとも一方の状態を示す生体情報を算出する生体情報算出部と、
前記就寝者が在床した状態の所定期間において、前記センサ出力取得部から前記生体情報算出部に送信される前の前記振動データの振幅に基づいて、前記振動検知部の検知状態の良否の判定をする判定部と、
前記判定部による判定結果を表示部に表示させることができる表示制御部と、を備えた生体情報測定装置。
【請求項２】
前記判定部は、前記就寝者が在床した状態における前記振動データと、前記就寝者が在床していない状態における前記振動データと、に基づいて前記判定を行う請求項１記載の生体情報測定装置。
【請求項３】
前記振動検知部は、複数の領域毎の前記振動を検知する複数の振動センサにより構成され、
前記複数の振動センサのうち最良の検知状態の前記振動センサを選択するセンサ選択部を備え、
前記判定部は、前記センサ選択部により選択された前記振動センサの出力から得られる情報に基づいて前記判定を行う請求項１又は２に記載の生体情報測定装置。
【発明の詳細な説明】
【技術分野】
【０００１】
本発明は、生体情報を測定する装置に関し、特に、就寝時における就寝者の生体情報を測定する装置に関する。
【背景技術】
【０００２】
近年、睡眠の質の重要の重要性が認められつつある。そのため、睡眠の質を測る目安として就寝者の心臓の拍動の状態や呼吸状態（以下、これらを生体情報と総称する）を測定する生体情報測定装置が提案されている。
【０００３】
このような生体情報測定装置は当然ながら睡眠時に使用するものであるため、睡眠中に装置の動作状態を確認することはできない。そのため、測定自体ができていなかったり、測定が記録できていなかったり、といったことが起こり得る。
【０００４】
このような問題点を解決するために、例えば、生体の生体情報を計測する生体情報計測手段と、前記生体情報計測手段の計測した生体情報データを記憶し蓄積するデータ蓄積手段と、前記データ蓄積手段のデータ空き領域を検出する空き領域検出手段と、時刻、データ蓄積量及び計測データを表示する表示手段と、前記データ蓄積手段のデータ空き領域が、当該装置の一定の計測期間に蓄積する生体情報データ量を下回ったことを判断してデータ空き領域不足の警告を報知するデータ空き領域警告手段とを備えた生体情報計測装置がある（特許文献１参照）。
【０００５】
この特許文献１の生体情報計測装置は、計測した生体情報データを記憶蓄積するデータ蓄積手段を備えており、データ特積手段に一定計測期間分の計測データを蓄積するための空き容量がない場合には、警告がなされる。これにより、測定前に蓄積手段の空き容量が十分であるか否かを確認することができ、空き容量不足により計測データが記録されないという不都合を回避することができる。
【０００６】
また、外部の機器と通信するための通信手段を有する生体情報測定装置であって、生体の生体情報を測定する測定手段と、前記測定手段が測定した生体情報と該生体情報を評価するための生体評価情報とを比較して前記生体の状態を判別する生体状態判別手段と、前記生体状態判別手段の判別結果に基づいて、前記生体情報測定装置の電力消費を制御する電力消費制御手段とを有する生体情報測定装置がある（特許文献２参照）。
【０００７】
この特許文献２の生体情報測定装置では、電力消費を制御することにより不要な電力消費を抑制することにより、いわゆるバッテリー切れにより生体情報の測定が行えなくなる不都合を回避している。
【０００８】
さらに、就寝者の体動に伴う体動信号を検出する体動検出手段と、上記体動信号を所定の確認信号に変換する信号変換手段と、上記体動検出手段によって体動が検出されていることを確認できるように、上記確認信号を出力する信号出力手段とを備え、上記信号出力手段は、上記確認信号を可視化するように該確認信号の入力に伴い発光し、且つ該確認信号の出力レベルに応じて輝度を変更するように構成される一方、周辺の照度を検出する照度検出手段と、上記照度検出手段によって検出された照度に基づいて上記信号出力手段の輝度を補正する輝度補正手段と、を備えている体動判定装置がある（特許文献３参照）。
【０００９】
この特許文献３の体動判定装置では、体動の検出状態が可視化されるため、検出状態の良否を確認することができる。
【先行技術文献】
【特許文献】
【００１０】
【特許文献１】特開２００７−３１９２３３号公報
【特許文献２】特開２００８−０６１６６３号公報
【特許文献３】特許第４０５９２９８号
【発明の概要】
【発明が解決しようとする課題】
【００１１】
しかしながら、特許文献１、２の装置では、測定結果を確実に記録することはできるものの、正常な測定が行われているか否かを確認することができない。一方、特許文献３の装置では、測定状態の良否を確認することができるものの、実際の使用時にしか確認を行うことができない。すなわち、特許文献３の装置では、就寝者以外の者は測定状態を確認できるが、就寝者自体は確認することができない。そのため、動作状態を確認するためには、他者の協力が必要であり、その他者に不要な負荷を与えることとなり、好ましくない。また、特許文献３の装置では測定状態に応じた発光がなされるため、発光状態が制御されるとはいえ就寝者の睡眠を阻害するという問題は依然として残る可能性がある。
【００１２】
本発明は上記課題に鑑みてなされたものであり、その目的は、使用前においても、生体情報を正常に計測できる状態であるか否かを確認することができる生体情報測定装置を提供することである。
【課題を解決するための手段】
【００１３】
上記課題を解決するため、本発明の生体情報測定装置は、在床した就寝者により生じる振動を検知可能に設置された振動検知部と、前記振動検知部からの出力信号を取得するセンサ出力取得部と、前記センサ出力取得部からの出力信号である振動データに基づいて、前記就寝者の心臓の拍動と呼吸との少なくとも一方の状態を示す生体情報を算出する生体情報算出部と、前記就寝者が在床した状態の所定期間において、前記センサ出力取得部から前記生体情報算出部に送信される前の前記振動データの振幅に基づいて、前記振動検知部の検知状態の良否の判定をする判定部と、前記判定部による判定結果を表示部に表示させることができる表示制御部と、を備えている。
【００１４】
この構成の生体情報測定装置は、振動検知部により検知された在床状態の就寝者の振動に基づいて生体情報（心臓の拍動、呼吸の状態等）を求めるものである。一方、所定期間において検知部により検知された在床状態の就寝者の振動に基づいて振動検知部の検知状態の良否が判定され、その判定結果が表示部に表示される。したがって、就寝者は実際の生体情報の測定に先立ち、この判定動作を行うことにより、就寝時において生体情報が測定可能であるか否かを予め知ることができる。また、判定は所定期間に限られているため、睡眠時に判定結果が表示され、睡眠を阻害することもない。
【００１５】
様々な原因による微細な振動や振動検知部自身のノイズにより、就寝者が非在床状態であっても、振動検知部は振動の検出信号を検出する可能性がある。したがって、就寝者が在床した状態で検知した振動にもそのノイズが重畳されている可能性がある。そのため、上記判定部による判定はこのノイズを考慮することが望ましい。そのため、本発明の生体情報測定装置の好適な実施形態の一つでは、前記判定部は、前記就寝者が在床した状態における前記振動データと、前記就寝者が在床していない状態における前記振動データと、に基づいて前記判定を行う。これにより、判定部は振動検知部のノイズを考慮した判定を行うことができる。
【００１６】
【００１７】
【００１８】
本発明の生体情報測定装置の好適な実施形態の一つでは、前記振動検知部は、複数の領域毎の前記振動を検知する複数の振動センサにより構成され、前記複数の振動センサのうち最良の検知状態の前記振動センサを選択するセンサ選択部を備え、前記判定部は、前記センサ選択部により選択された前記振動センサの出力から得られる情報に基づいて前記判定を行う。
【００１９】
この構成では、振動検知部は複数の振動センサにより構成されており、各々の振動センサは独自に振動の検知信号を出力している。この複数の振動の検知信号に対してセンサ選択部が最良の検知状態の振動センサを選択し、その選択された振動センサの出力から得られる情報に基づいて判定部による判定が行われている。これにより、安定した判定を行うことができる。
【００２０】
【００２１】
【図面の簡単な説明】
【００２２】
【図１】生体情報測定装置の構成図である。
【図２】処理装置の機能部を表す機能ブロック図である。
【図３】生体情報測定装置の初期状態確認の処理の流れを表すフローチャートである。
【図４】通常状態におけるディスプレイに表示される表示例である。
【図５】ディスプレイに表示される初期状態確認画面の例である。
【図６】振動検知部の検知状態の判定結果を示す判定結果表示画面の例である。
【図７】実施例１における判定部の処理の流れを表すフローチャートである。
【図８】実施例２における初期状態確認の処理の流れを表すフローチャートである。
【図９】実施例２における非在床振動データを取得する際に表示する初期状態確認画面の例である。
【図１０】実施例２における判定部の処理の流れを表すフローチャートである。
【図１１】情報の提示画面の例である。
【図１２】情報の提示画面の例である。
【発明を実施するための形態】
【００２３】
以下に、図面を用いて本発明の生体情報測定装置の実施形態を説明する。図１は、生体情報測定装置の構成図である。図に示すように、本実施形態における生体情報測定装置は、在床する就寝者Ｍによる振動を検知する振動検知部１および振動検知部１からの出力から就寝者Ｍの生体情報を求める処理装置１０を備えている。この振動検知部１は、就寝者Ｍの下、または、就寝者Ｍが用いる寝具（敷布団、マットレス等）の下に設置され、就寝者Ｍの心臓の拍動や呼吸等に起因する振動を検知する。
【００２４】
本実施形態における振動検知部１は、８つの領域における振動を検知するために８つの公知の振動センサ１ａを備えており、各々の振動センサ１ａからの出力は処理装置１０に入力されている。なお、以下の説明では、各振動センサ１ａからの出力信号の流れをチャネルと称する。したがって、本実施形態では振動検知部１から処理装置１０に対して８チャネルの信号系が形成されている。
【００２５】
図１に示すように、処理装置１０の前面には各種情報を表示するためのディスプレイ２０（表示部の例）およびディスプレイ２０の表面に形成されたタッチパネル２１を備えている。就寝者Ｍ等のユーザは、タッチパネル２１を操作することにより、処理装置１０に対して指示を与えることができる。また、処理装置１０の前面右下隅にはプッシュ式の電源スイッチ２２が設けられており、この電源スイッチ２２により生体情報測定装置の起動・終了を行うことができる。
【００２６】
図２は、処理装置１０に備えられている機能部を表す機能ブロック図である。本実施形態では、処理装置１０は各種処理を実行するＣＰＵ（Central Processing Unit）やメモ
リを中核としてソフトウェアにより各機能部が構成されているが、各機能部はハードウェアにより構成しても構わないし、ハードウェアとソフトウェアとを協働させて構成しても構わない。
【００２７】
図に示すように、処理装置１０は、振動センサ１ａからの出力信号を取得するセンサ出力取得部１１、センサ出力取得部１１により取得された出力信号に基づいて生体情報を算出する生体情報算出部１２、８つの振動センサ１ａのうち最良のものを選択するセンサ選択部１３、センサ選択部１３により選択された振動センサ１ａに対応するチャネルの出力信号に基づいて振動検知部１の振動の検知状態の良否を判定する判定部１４、判定部１４により判定結果をディスプレイ２０に表示させる表示制御部１５を備えている。
【００２８】
センサ出力取得部１１には、リアルタイムに計測された各振動センサ１ａからの８チャネルの出力信号が入力されている。センサ出力取得部１１は、入力される出力信号を所定のサンプリング間隔（例えば、１ｍｓｅｃ）でサンプリングし、Ａ／Ｄ変換する。センサ出力取得部１１によりＡ／Ｄ変換された８チャネルのデータ（以下、振動データと称する）は、生体情報算出部１２および判定部１４に送られる。
【００２９】
生体情報算出部１２は、センサ出力取得部１１から振動データを取得し、その振動データに基づいて生体情報を算出する。ここで、生体情報とは、就寝者Ｍの心臓の拍動の状態や呼吸の状態を表す情報（以下、これらを区別する場合には拍動情報、呼吸情報と称する）である。なお、本実施形態では、生体情報として拍動情報と呼吸情報の双方を算出しているが、いずれか一方のみを用いても構わない。また、本実施形態では８チャネルの振動データのそれぞれから拍動情報および呼吸情報を生成している。したがって、本実施形態では、生体情報として８つの拍動情報と８つの呼吸情報とが得られることとなる。
【００３０】
振動データからの生体情報の算出は、フィルタリング処理、例えば、特開２００９−１１２５９６号公報に開示されている方法等の公知の方法を用いることができる。生体情報算出部１２により算出された生体情報は、判定部１４に送られる。また、この生体情報は睡眠の質等の判定にも用いることができる。
【００３１】
判定部１４は、センサ出力取得部１１から取得した振動データ、または、生体情報算出部１２から取得した生体情報に基づいて、振動検知部１の振動の検知状態の良否を判定する。この検知状態の良否の判定方法は後述する。
【００３２】
表示制御部１５は、判定部１４による判定結果や各種情報を就寝者Ｍ等に通知するために、ディスプレイ２０への表示を制御する。また、タッチパネル２１に対する操作を取得する機能も有している。
【００３３】
通常、就寝者Ｍが入床した場合には振動検知部１の上に位置することとなり、就寝者Ｍにより生じる振動は振動検知部１に検知される。振動検知部１により検知された振動データは処理装置１０に送られ、生体情報算出部１２により生体情報が算出される。生体情報算出部１２により算出された生体情報は、ディスプレイ２０に表示されたり、睡眠の質の判定に用いられたりする。
【００３４】
このように、生体情報測定装置は、就寝者Ｍの睡眠時における生体情報を測定するものである。したがって、実際に生体情報測定装置を使用している状態では、就寝者Ｍは生体情報が測定されているか否かを知ることができない。そのため、例えば、振動検知部１の設置状態が良くないために、生体情報を測定できないような場合でも、翌朝に測定結果を見るまではそのことを知ることができなかった。そこで、本発明の生体情報測定装置は、初期状態確認機能を備えている。ここで、初期状態確認とは、生体情報測定装置を新たに設置した場合や、振動検知部１の設置状態等を変更した際に、振動検知部１による振動の検知状態の良否、すなわち、正常に生体情報が取得できるか否かの確認である。
【００３５】
図３は生体情報測定装置の初期状態確認処理の流れを表すフローチャートである。通常状態、すなわち、日常的に就寝者Ｍの生体情報を測定する状態では、電源スイッチ２２を操作することにより生体情報測定装置を起動させるとディスプレイ２０には図４に示すような初期画面３０が表示される。
【００３６】
図に示すように、初期画面３０には表示を切り替えるための４つの表示切替ボタン３１および就寝時の生体情報の測定を開始するためのスタートボタン３２が表示されている。表示切替ボタン３１は、ユーザ情報等の設定変更を行う表示に移行するためのユーザ情報ボタン３１ａ、目覚ましを設定する表示に移行するための目覚まし設定ボタン３１ｂ、就寝時の生体情報や睡眠の質等の表示に移行するための結果表示ボタン３１ｃ、および、振動検知部１の振動の検知状態の良否を判定する表示に移行するためのセンサチェックボタン３１ｄからなっている。
【００３７】
結果表示ボタン３１ｃを操作すると、ディスプレイ２０には測定されている生体情報をリアルタイムで表示したり、生体情報等に基づいて判定した睡眠の質を表示したりすることができる。なお、睡眠中にディスプレイ２０に生体情報の表示を行うと、良質の睡眠を阻害するおそれがあるため、入床または入眠から一定時間経過した後は、表示を行わない構成としてもよい。
【００３８】
一方、初期状態確認を行いたい場合には、就寝者Ｍ等のユーザはタッチパネル２１を操作し、センサチェックボタン３１ｄをタッチする。これにより、以下の処理が実行される。
【００３９】
先ず、表示制御部１５はディスプレイ２０に対して図５の初期状態確認画面４０を表示する（＃０１）。図に示すように、初期状態確認画面４０には就寝者Ｍに対する指示が表示されるとともに、初期状態確認を開始するためのチェック開始ボタン４１が表示されている。これに対して、就寝者Ｍは入床した状態でタッチパネルを操作し、チェック開始ボタン４１を押下する（＃０２）。このチェック開始ボタン４１が押下された旨の情報はセンサ出力取得部１１に送られる。
【００４０】
チェック開始ボタン４１が押下された旨の通知を受けたセンサ出力取得部１１は、所定の待機時間（例えば、１０秒間）の間待機した後（＃０４のＮｏ分岐）、振動検知部１からの出力信号から振動データを生成する（＃０５）。生成された振動データは、生体情報算出部１２、センサ選択部１３および判定部１４に送られる。
【００４１】
ここで、センサ出力取得部１１が所定の待機時間の間振動データの生成を行わずにいるのは、チェック開始ボタン４１が押下された直前は、就寝者Ｍの姿勢変更に伴う大きな振動が発生していると考えられ、そのような振動に基づいて振動検知部１の振動の検知状態を判定しても十分な精度の判定結果が得られない可能性が高いという理由による。
【００４２】
振動データを取得した生体情報算出部１２は、取得した８チャネルの振動データに基づいて８チャネルの就寝者Ｍの拍動情報および呼吸情報を生体情報として生成する（＃０６）。生成された生体情報はセンサ選択部１３および判定部１４に送られる。なお、上述したように、本実施形態では振動データはセンサ出力取得部１１によりＡ／Ｄ変換された信号となっているため、生体情報算出部１２は振動データをデジタル信号処理することにより生体情報を生成する。当然ながら、センサ出力取得部１１がＡ／Ｄ変換せずに振動データを出力した場合には、生体情報算出部１２はアナログ信号処理により生体情報を生成すればよい。
【００４３】
センサ選択部１３は、８つの振動センサ１ａのうち最良のものを選択する（＃０７）。ここで、最良とは、生体情報を最も安定して算出できる信号を出力している状態をいう。具体的には、以下の２種類の方法により最良の振動センサ１ａを選択し、その振動センサ１ａに対応するチャネル番号ＣＨ（１〜８のいずれか。以下、最良チャネル番号ＣＨと称する）を判定部１４に送る。
【００４４】
〔振動データに基づく選択〕
第１の方法は振動データに基づいて最良の振動センサ１ａを選択する。まず、センサ選択部１３は所定時間範囲の各チャネルの振動データの振幅（上下ピーク値の差）の平均値を求める。この処理を行うためには、過去の振動データをメモリ（図示せず）等に記録しておけばよい。各チャネルの平均値を求めると、平均値が最大となるチャネルに対応する振動センサ１ａを最良であると判定する。
【００４５】
〔生体情報に基づく選択〕
第２の方法は、生体情報に基づいて最良の振動センサ１ａを選択する。この方法では、センサ選択部１３は、所定時間範囲の各チャネルの生体情報（拍動情報、呼吸情報）を参照し、拍動情報および呼吸が示す波形のピーク間隔、大きさが一定であるか、また、不連続な範囲（正常な生体情報が求められていない範囲）が存在しないか等に基づいて最良の振動センサ１ａを求める。
【００４６】
なお、最良の振動センサ１ａの選択は、振動データと生体情報とに基づいて決定しても構わない。また、最良の振動センサ１ａの選択基準は上述の基準に限定されるものではなく、他の基準を用いても構わない。
【００４７】
センサ選択部１３は、上述のようにして選択した最良の振動センサ１ａに対応するチャネル番号ＣＨ（１〜８のいずれか）を最良チャネル番号ＣＨとして判定部１４に送る。なお、センサ選択部１３は、振動データや生体情報を取得するたびに処理を実行しても構わないし、所定時間毎に最良チャネルの選択を行っても構わない。後者の場合には、所定時間に達するまでは直近の最良チャネル番号ＣＨを出力し続けるように構成すればよい。
【００４８】
センサ選択部１３から最良チャネル番号ＣＨを取得した判定部１４は、その最良チャネル番号ＣＨに対応する振動データ、生体情報の少なくとも一方を記憶しておき、これらの一連の処理（＃０５〜＃０７）を所定時間繰り返す（＃０８のＮｏ分岐）。本実施形態では、上述の待機時間を含め３０秒間の測定を行っている。これらの処理により、チェック開始ボタン４１の押下から３０秒経過すると判定部１４には、２０秒間の振動データまたは生体情報が記録されることとなる。このような状態で、判定部１４は記憶した振動データまたは生体情報に基づいて振動検知部１の振動の検知状態の良否を判定する（＃０９）。判定部１４の判定結果は表示制御部１５に送られる。なお、具体的な処理は後述する。
【００４９】
判定部１４の判定結果を取得した表示制御部１５は、ディスプレイ２０に判定結果画面５０を表示する（＃１０）。図６（ａ）および（ｂ）はそれぞれ判定部１４により振動検知部１による振動の検知状態が良好および不良である旨の判定結果を受けた際の判定結果画面５０の例である。
【００５０】
図６（ａ）に示すように、振動検知部１の検知状態が良好である場合の判定結果画面５０には、検知状態が良好である旨のメッセージが表示される。また、就寝者Ｍの視認性を高めるために検知状態が良好であることを示す記号（この例では二重丸）が大きく表示されている。また、初期画面３０に移行させる戻るボタン５１も併せて表示されている。
【００５１】
一方、図６（ｂ）に示すように、振動検知部１の検知状態が不良である場合の判定結果画面５０には、検知状態が不良である旨および対処方法が表示される。また、検知状態が良好である場合と同様に、就寝者の視認性を高めるために検知状態が不良であることを示す記号（この例では×）が大きく表示されている。就寝者Ｍは、表示された対処方法に従って振動検知部１を設置し直し、再測定ボタン５２を押下することにより、初期状態確認画面に移行し、再度上述の初期状態確認処理を実行する。
【００５２】
このようにして初期状態確認処理を行い、振動検知部１の検知状態が良好となった状態で生体情報測定装置を用いることにより、確実に就寝中の就寝者Ｍの生体情報を取得することができる。
【００５３】
本発明の生体情報測定装置の初期状態確認処理におけるセンサ選択部１３および判定部１４の処理にはそれぞれ異なった処理態様が存在する。以下に、これらの処理の内容を具体的に説明する。
【実施例１】
【００５４】
本実施例では、判定部１４における処理は振動データに基づいて行われる。以下、図７のフローチャートに基づいて処理の流れを説明する。まず、判定部１４は所定時間範囲における最良チャネル番号ＣＨの振動データの振幅（上限ピーク値の差）の平均値を求める（＃２１）。判定部１４は、この平均値と所定の閾値ＴＨとを比較し（＃２２）、平均値が閾値ＴＨよりも大きければ（＃２２のＹｅｓ分岐）、判定結果を良好とする（＃２３）。一方、平均値が閾値ＴＨ以下であれば（＃２２のＮｏ分岐）、判定結果を不良とする（＃２４）。
【実施例２】
【００５５】
本実施例では、実施例１と同様に判定部１４は振動データに基づいて判定を行う。ただし、実施例１では閾値ＴＨが固定値であったのに対し、本実施例では閾値ＴＨは適応的に変化させている。そのため、初期状態確認処理の流れが上述の実施形態とは若干異なっている。
【００５６】
図８は、本実施例における初期状態確認処理の流れを表すフローチャートである。図８のフローチャートは図３のフローチャートに対して、＃０３の処理が追加されている。＃０３以外の処理は図３のフローチャートの処理と同様であるため、ここでは＃０３の処理についてのみ説明する。
【００５７】
＃０３では、就寝者Ｍが在床しない状態における各振動センサ１ａの出力から振動データを生成する（以下、この振動データを非在床振動データと称する）。具体的には、センサチェックボタン３１ｄが押下されると、図９に示す初期状態確認画面６０を表示する。上述したように、＃０３での処理では就寝者Ｍが在床しない状態での各振動センサ１ａの出力を取得する必要があるため、初期状態確認画面６０にはその旨を伝えるメッセージが表示されている。
【００５８】
チェック開始ボタン４１が押下されると、センサ出力取得部１１は各振動センサ１ａの出力信号から非在床振動データを生成する。生成された非在床振動データは判定部１４に送られる。
【００５９】
非在床振動データの生成が完了すると、ディスプレイ２０に初期状態確認画面４０を表示し、＃０４移行の処理が実行される。
【００６０】
次に、図１０のフローチャートを用いて本実施例における判定部１４の処理の流れを説明する。本実施例における判定部１４の処理は、実施例１における判定部１４の処理に対して、閾値ＴＨを算出する処理（＃３１）が追加されている。＃３１の処理では、まず判定部１４は取得した非在床振動データの振幅（上下ピーク値の差）の平均値を求める。上述したように、非在床振動データは就寝者Ｍが在床指定ない状態での振動データである。そのため、理想的な状態では振幅は０となる。しかしながら、振動センサ１ａのノイズや様々な原因による微振動のために非在床振動データの振幅は０とはならない。すなわち、非在床振動データはノイズレベルを表していると言える。本実施例では、ここで算出した平均値に対して所定の定数（例えば２）を乗じることにより閾値ＴＨを求めている。
【００６１】
＃３２以下の処理では＃２１以下の処理と同様の処理が行われ、振動検知部１の検知状態が判定される。このようにして閾値ＴＨを求めることにより、Ｓ／Ｎ比に基づく振動検知部１の検知状態の良否を判定することができる。
【実施例３】
【００６２】
本実施例では、判定部１４における処理は生体情報に基づいて行われる。判定部１４における振動検知部１の検知状態の良否の判定は、センサ選択部１３における最良の振動センサ１ａの選択と同様に、拍動情報および呼吸が示す波形のピーク間隔、大きさが一定であるか、また、不連続な範囲（正常な生体情報が求められていない範囲）が存在しないか等に基づいて判定を行う。
【００６３】
〔別実施形態〕
（１）上述の実施形態では、振動検知部１は８つの振動センサ１ａを備え、８チャネルの信号系を構成したが、振動センサ１ａの数は適宜増減可能である。したがって、振動センサ１ａを１つとしても構わず、その場合には、センサ選択部１３が不要となり、判定部１４はセンサ出力取得部１１または生体情報算出部１２からの出力に基づいて判定を行えばよい。
【００６４】
（２）上述の実施形態おいて、判定部１４を備えない構成としても構わない。この場合には、表示制御部がセンサ出力取得部１１からの振動データと生体情報算出部１２からの生体情報の少なくとも一方をディスプレイ２０に表示させ、就寝者Ｍ等に振動の検知状態を確認させる。例えば、図１１に示すような振動データと閾値ＴＨ（図中の横実線）とを重畳表示した振動データ表示画面７０を表示することができる。就寝者Ｍは、この表示から振動データの上下のピークと閾値ＴＨとを比較し、振動検知部１の検知状態の良否を確認することができる。なお、この場合には最良の振動センサ１ａの振動データのみを表示しても構わないし、全ての振動センサ１ａの振動データを切り換え可能に表示しても構わない。
【００６５】
また、図１２に示すように生体情報を示す生体情報表示画面８０を表示することもできる。この例では、拍動情報および呼吸情報に基づく波形が表示されている、就寝者Ｍは、この表示から各波形のピーク間隔が一定であるか、不連続な範囲（正常な生体情報が求められていない範囲）か等を確認し、振動検知部１の検知状態の良否を確認することができる。
【００６６】
なお、図１１、１２の振動データ表示画面７０および生体情報表示画面８０には、振動センサ１ａの検知状態が不良であると判断した際にその対処法を表示するためのボタン７１、８１が表示されている。また、図１１、１２では３０秒間の測定が終わった状態で表示を行っているが、計測途中のデータをリアルタイムで表示しても構わない。
【００６７】
（３）上述の実施例では、表示部としてディスプレイを用いたが、表示部はこれに限定されるものではなく、他のデバイスを用いても構わない。例えば、ＬＥＤ等の発光装置を表示部として用いることもできる。この場合には、振動検知部１による振動の検知状態に応じて点灯／消灯を切り換えたり、点灯色を異ならせたりすることにより、検知状態を示すことができる。
【００６８】
（４）上述の実施形態では、生体情報に基づいて最良の振動センサ１ａを選択する際に、拍動情報および呼吸情報に基づいて一の振動センサ１ａを選択したが、拍動情報に基づいて最良の振動センサ１ａを選択し、呼吸情報に基づいて最良の振動センサ１ａを選択しても構わない。この場合には、生体情報算出部１２からは、それぞれの最良の振動センサ１ａに対応する拍動情報および呼吸情報が出力される。
【００６９】
（５）上述の実施形態において、センサ選択部１３が各振動センサ１ａの出力に基づいて最良の振動センサ１ａを選択した場合には、生体情報算出部１２は選択された振動センサ１ａの出力に基づいて生体情報を算出する構成としても構わない。
【産業上の利用可能性】
【００７０】
本発明は、就寝時等における人の生態情報を測定する生体情報測定装置に適用することができる。
【符号の説明】
【００７１】
ＣＨ：チャネル番号
Ｍ：就寝者
１：振動検知部
１ａ：振動センサ
１０：処理装置
１１：センサ出力取得部
１２：生体情報算出部
１３：センサ選択部
１４：判定部
１５：表示制御部
２０：ディスプレイ（表示部）
２１：タッチパネル
２２：電源スイッチ
【図１】
0005532323.tif 000002
【図２】
0005532323.tif 000003
【図３】
0005532323.tif 000004
【図４】
0005532323.tif 000005
【図５】
0005532323.tif 000006
【図６】
0005532323.tif 000007
【図７】
0005532323.tif 000008
【図８】
0005532323.tif 000009
【図９】
0005532323.tif 000010
【図１０】
0005532323.tif 000011
【図１１】
0005532323.tif 000012
【図１２】
0005532323.tif 000013